(57)【要約】【課題】            本発明は、鉛直軸を中心に旋回して開閉する扉の一方の側から扉を施錠する扉施錠装置に関するものである。【解決手段】        扉４の開閉端側４ａに固定仕切部材３が配設され、該仕切部材３に係止受け23が設けられ、該係止受け23に係脱自在に係合しうるロック片22が前記扉４の一方の面に設けられた扉施錠装置10において、前記扉４の一方の面に一体に設けられた下座11と、前記ロック片22を移動自在に支持するとともに、前記下座11に係脱自在に係合して支持されるロック片取り付け部材13と、前記ロック片取り付け部材13が前記下座11に係合した状態を保持し、非常時に前記扉４の他方の面からの操作具５による突き操作で前記ロック片取り付け部材13と下座11との係合が解除されるロック片係合解除手段19とを備えた扉施錠装置である。【選択図】          図４
2006090052.tif 000002
【特許請求の範囲】
【請求項１】
鉛直軸を中心として内方および外方のいずれの方向にも扉が開閉でき、該
扉の開閉端側に固定仕切部材が配設され、該仕切部材に係止受けが設けられ、該係止受け
に係脱自在に係合しうるロック片が前記扉の一方の面に設けられた扉施錠装置において、
前記扉の一方の面に一体に設けられた下座と、
前記ロック片を移動自在に支持するとともに、前記下座に係脱自在に係合して支持され
るロック片取り付け部材と、
前記ロック片取り付け部材が前記下座に係合した状態を保持し、非常時に前記扉の他方
の面からの操作具による突き操作で前記ロック片取り付け部材と下座との係合が解除され
るロック片係合解除手段とを備えた扉施錠装置。
【請求項２】
前記ロック片は、細長形状をなし、前記ロック片取り付け部材に対し前記
ロック片長手方向に沿い往復摺動して、前記係止受けに係脱しうることを特徴とする請求
項１記載の扉施錠装置。
【請求項３】
前記ロック片は、前記ロック片取り付け部材に対し前記扉面に沿って旋回
して、前記係止受けに係脱しうることを特徴とする請求項１記載の扉施錠装置。
【請求項４】
前記ロック片の往復摺動範囲を限定しうる摺動範囲限定手段を具備したこ
とを特徴とする請求項３記載の扉施錠装置。
【請求項５】
前記摺動範囲限定手段は、前記ロック片取り付け部材と前記下座との係合
時に、該下座と係合し、前記ロック片取り付け部材と前記下座との係合解除時に、該下座
との係合が解除されることを特徴とする請求項４記載の扉施錠装置。
【請求項６】
前記ロック片係合解除手段に設けられたバネにより前記ロック片取り付け
部材と前記下座とが係合し、該ロック片係合解除手段のバネの付勢力の延長線に沿って前
記扉を貫通した孔に挿入される非常解錠操作具の押し込み操作で、前記ロック片取り付け
部材と前記下座との係合が解除されるように、前記ロック片係合解除手段が構成されたこ
とを特徴とする請求項１または請求項２記載の扉施錠装置。
【発明の詳細な説明】
【技術分野】
【０００１】
本発明は、鉛直軸を中心に旋回して開閉する扉の一方の側から扉を施錠する扉施錠装置に関するものである。
【背景技術】
【０００２】
例えば、トイレブースの扉を内側から施錠できる特許文献１に開示された扉施錠装置は、下記のように構成されている。
扉の一方の面に一体に取り付けられた取り付け部に、扉面に沿い水平方向へ摺動自在にロックバーが設けられ、扉の開閉端側のドア支持枠に止め具が装着された扉施錠装置において、ロックバーを止め具側に摺動させることにより、ロックバーをドア支持枠の止め具に係止させて扉を施錠できるようになっている。
【特許文献１】特開２００４−１９１９２号公報
【発明の開示】
【発明が解決しようとする課題】
【０００３】
特許文献１に記載された扉施錠装置においては、ロックバーを操作した人が、人事不省に陥ったり、あるいは、急に動けなくなった場合に、扉を挟んでロックバーが設けられた側と反対側に居る人が、非常解錠用キーを持って、扉を貫通させ、この非常解錠用キーを回転させることにより、キーに連結されたピニオンが回転し、このピニオンに噛み合ったラックが止め具から離れる方向へ移動し、ラックと一体にロックバーが止め具から外れ、扉が開放可能状態となり、ロックバーを操作した人を救助することができるようになっている。
【０００４】
しかし、非常解錠用キーでもってピニオンを回転させるには、１、２回の回転では不充分で多数回転数を必要とするため、解錠するのに、時間がかかり、緊急の場合には、閉じ込められた人の救出が間に合わない惧れがある。
【０００５】
本発明は、このような難点を克服した扉施錠装置の発明に係り、扉を挟んでロックバーが設けられている側と反対側からの簡単な操作で短時間内に容易に解錠することができる扉施錠装置を提供することを課題としている。
【課題を解決するための手段】
【０００６】
請求項１記載の発明は、鉛直軸を中心として内方および外方のいずれの方向にも扉が開閉でき、該扉の開閉端側に固定仕切部材が配設され、該仕切部材に係止受けが設けられ、該係止受けに係脱自在に係合しうるロック片が前記扉の一方の面に設けられた扉施錠装置において、前記扉の一方の面に一体に設けられた下座と、前記ロック片を移動自在に支持するとともに、前記下座に係脱自在に係合して支持されるロック片取り付け部材と、前記ロック片取り付け部材が前記下座に係合した状態を保持し、非常時に前記扉の他方の面からの操作具による突き操作で前記ロック片取り付け部材と下座との係合が解除されるロック片係合解除手段とを備えた扉施錠装置である。
【０００７】
請求項２記載の発明は、前記ロック片は、細長形状をなし、前記ロック片取り付け部材に対し前記ロック片長手方向に沿い往復摺動して、前記係止受けに係脱しうることを特徴とする請求項１記載の扉施錠装置である。
【０００８】
請求項３記載の発明は、前記ロック片は、前記ロック片取り付け部材に対し前記扉面に沿って旋回して、前記係止受けに係脱しうることを特徴とする請求項１記載の扉施錠装置である。
【０００９】
請求項４記載の発明は、前記ロック片の往復摺動範囲を限定しうる摺動範囲限定手段を具備したことを特徴とする請求項３記載の扉施錠装置である。
【００１０】
請求項５記載の発明は、前記摺動範囲限定手段は、前記ロック片取り付け部材と前記下座との係合時に、該下座と係合し、前記ロック片取り付け部材と前記下座との係合解除時に、該下座との係合が解除されることを特徴とする請求項４記載の扉施錠装置である。
【００１１】
請求項６記載の発明は、前記ロック片係合解除手段に設けられたバネにより前記ロック片取り付け部材と前記下座とが係合し、該ロック片係合解除手段のバネの付勢力の延長線に沿って前記扉を貫通した孔に挿入される非常解錠操作具の押し込み操作で、前記ロック片取り付け部材と前記下座との係合が解除されるように、前記ロック片係合解除手段が構成されたことを特徴とする請求項１または請求項２記載の扉施錠装置である。
【発明の効果】
【００１２】
請求項１記載の発明によれば、ロック片が設けられている側と反対側からの操作具による突き操作でもって、ロック片係合解除手段が駆動され、ロック片が設けられているロック片取り付け部材と、扉の一方の面に一体に設けられた下座との係合が短時間内に簡単に解除され、ロック片が設けられた側と反対側へ扉が旋回して扉が開放することが可能となり、ロック片を操作した人が人事不省に陥り、あるいは急に動けなくなっても、容易に救出することが可能である。
【００１３】
請求項２記載の発明においては、ロック片取り付け部材に対し細長形状のロック片をその長手方向に沿い往復摺動させることにより、ロック片を係止受けに係脱し、扉を容易に施錠または解錠することができる。
【００１４】
請求項３記載の発明においては、ロック片取り付け部材に対しロック片を扉面に沿って旋回させることにより、ロック片を係止受けに係脱し、扉を容易に施錠または解錠することができる。
【００１５】
請求項４記載の発明においては、摺動範囲限定手段でもって、ロック片の往復摺動範囲を限定することにより、施錠および解錠を確実に実行することができる。
【００１６】
請求項５記載の発明においては、ロック片取り付け部材と下座との係合時に、摺動範囲限定手段も下座と係合するため、ロック片取り付け部材は、下座に２個所でもって安定して確実に取り付けられる結果、振動等をロック片取り付け部材が受けても、錠止状態を確保することが可能である。
【００１７】
そして、ロック片取り付け部材と下座との係合解除時には、摺動範囲限定手段も下座との係合も解除されるため、ロック片取り付け部材は、係止受けにロック片が係合したまま、下座から離れることができる結果、ロック片が設けられた側と反対側へ扉が確実に開放できる。
【００１８】
請求項６記載の発明では、ロック片係合解除手段のバネの付勢力の延長線に沿って扉に設けられた孔に非常解錠操作具を挿入し、この非常解錠操作具をロック片係合解除手段のバネの付勢力に逆らって押し込むことにより、頗る簡単にロック片取り付け部材と下座との係合を解除することができ、短時間内に容易に、ロック片側と反対側に扉を開放することができる。
【発明を実施するための最良の形態】
【００１９】
以下、図１ないし図２３に図示された本発明の実施形態について説明する。
【００２０】
図１には、中央に図示されない便器が配置されたトイレブース１が、公共の病院、駅またはデパート等の建物内に１列に並んで配設され、このトイレブース１は、建物の壁２とパネル３とで仕切られ、トイレブース１の正面には、内開きの扉４が開閉自在に取り付けられ、扉４の内側には、扉施錠装置10が付設されている。
【００２１】
最近のトイレブース１では、プライバシー確保のために、パネル３は扉４よりも高くなり、あるいは建物の天井に達しているので、トイレブース１内で扉施錠装置10を施錠した利用者が人事不省に陥ったり、急に動けなくなった場合に、トイレブース１外の人がパネル３を乗り越えて、トイレブース１内に侵入して、トイレブース１内の利用者を救出することができないことがある。
【００２２】
このような事態を回避するために、本実施形態では、扉施錠装置10が下記に説明する構造に構成されている。
【００２３】
図３および図４に図示されるように、扉４の開閉端寄りの内面に、下座11を貫通する３本のネジ12によって下座11が左右水平方向に指向して一体に装着されている。下座11の中央部分11ａには、図３、図４、図９および図１０に図示されるように、巾方向中央に位置し、長手方向に亘り所要間隔毎に皿孔11ｂが３個形成されるとともに、下座11の基端側（図面では左端側）から２個目と３個目の皿孔11ｂの間に、ピン係合孔11ｃが形成され、下座11の基端部にはトイレブース１内に向って直角に起立したピン当接部11ｄが形成され、ピン当接部11ｄの基端は２叉状に分岐され、その２叉状分岐突出部11ｅは、下座11の先端側（図面では右端側）に向ってさらに直角に折曲され、下座11の先端部11ｆは、トイレブース１内に向って折り曲げられるとともにその先端側が同じ角度だけ折り返えされて下座11の中央部分11ａと平行に形成され、下座11の先端部11ｆには、半円弧状の切欠き11ｇが形成されている。
【００２４】
ロック片取り付けベース部材13は、図３に図示されるように、略扁平直方体形状をなし、ロック片取り付けベース部材13の基端面（図３では左端面）中央からロック片取り付けベース部材13の先端（図３で右端）に向ってスライド孔13ａが形成されるとともに、ロック片取り付けベース部材13の基端面に隣接しスライド孔13ａに対し直角に交叉するスライド制限孔13ｂが形成され、これらスライド孔13ａおよびスライド制限孔13ｂに隣接したロック片取り付けベース部材13のブース側面（図３で上面）基端両角部に係合切り欠き13ｃが形成されており、このスライド孔13ａに非常解錠バネ14と非常解錠ピストン15とが嵌装されるとともに、非常解錠ピストン15の直径方向に形成されたピン孔15ａが、ロック片取り付けベース部材13のスライド制限孔13ｂに位置した状態で、該ロック片取り付けベース部材13のスライド制限孔13ｂから非常解錠ピストン15のピン孔15ａにピン16が挿入されている。
【００２５】
ロック片取り付けベース部材13には、緩衝ゴム17を嵌着するための嵌合孔13ｄが、ロック片取り付けベース部材13の先端側（図３の右端側）のブース側面（図３で上面）から扉側面に向って形成されるとともに、この嵌合孔13ｄからロック片取り付けベース部材13の基端寄り（図３で左端寄り）に摺動範囲限定手段であるストッパー18のネジ部18ａをネジ込むためのネジ孔13ｅが形成され、嵌合孔13ｄに緩衝ゴム17の嵌合部17ａが嵌着されるとともに、ネジ孔13ｅに扉側面からブース側面に向ってストッパー18が螺着されており、下座11の中央部分11ａのブース側面にロック片取り付けベース部材13の扉側面が当接した状態で、下座11のピン当接部11ｄに向いロック片取り付けベース部材13を摺動させることにより、ロック片取り付けベース部材13の係合切り欠き13ｃが下座11の２叉状分岐突出部11ｅに係合するとともに、ストッパー18の小径部18ｂが下座11の半円弧状切り欠き11ｇに係合するようになっている。
【００２６】
また、ロック片取り付けベース部材13には、ピンガイド孔13ｆがブース側から扉側に向って形成され、該ピンガイド孔13ｆの扉側端部は、図１５に図示されるように、ブース側よりも小径に形成され、このピンガイド孔13ｆに段付きのロック係合解除ピン19がブース側から嵌合され、このロック係合解除ピン19の大径部19ａの凹部19ｂにピンバネ20が遊嵌され、さらにピンガイド孔13ｆのブース側開口にピン蓋21が一体に嵌着されており、ロック片取り付けベース部材13の係合切り欠き13ｃが下座11の２叉状分岐突出部11ｅに係合するとともに、ストッパー18の小径部18ｂが下座11の半円弧状切り欠き11ｇに係合した状態において、ロック係合解除ピン19に何らの力が加えられない場合には、ピンバネ20のバネ力によって、ロック係合解除ピン19の先端小径部19ｃが下座11のピン係合孔11ｃに係合し、ロック片取り付けベース部材13が下座11に一体に結合されるようになっている。
【００２７】
ロック片取り付けベース部材13の扉側面（図３では下面）では、図１５および図１６に図示されるように、ネジ孔13ｅとピンガイド孔13ｆとの中間位置からロック片取り付けベース部材13の基端側（図１５、図１６において左端側）に向って扉側へ隆出し、この隆出部13ｇは、ロック片取り付けベース部材13の巾よりも狭く形成されるとともに、隆出部13ｇの先端部（図１５、図１６で右端部）13ｈはロック片取り付けベース部材13の先端部に向って斜めに傾斜した形状に形成されており、この隆出部13ｇの扉側面が下座11のブース側面に接触し、かつ図４に図示されるように、ロック係合解除ピン19の先端小径部19ｃが下座11のピン係合孔11ｅに係合した状態では、ロック片取り付けベース部材13における隆出部13ｇの先端部13ｈは、下座11の先端部11ｆに対し間隔を有している。
【００２８】
ロック片取り付けベース部材13にその長手方向に沿って摺動自在に嵌装されるロック片22では、図８ないし図１０に図示されるように、このロック片22の頂壁22ａの両側縁から扉側に向って直角に両側壁22ｂが折曲され、その両側壁22ｂの端部はさらに直角に内側に向って折曲された折曲部22ｃが設けられることで、ロック片22は横断面Ｃチャンネル状に形成され、ロック片22の頂壁22ａの先端寄り（図４、図８で右寄り）内面にガイド溝22ｄが形成されており、このロック片22の折曲部22ｃは、図９に図示されるように、ロック片取り付けベース部材13の隆出部13ｇの両側の欠落溝部13ｉに係合するとともに、ストッパー18の先端部18ｃがロック片22のガイド溝22ｄに係合した状態で、ロック片取り付けベース部材13の長手方向に沿い、ロック片22のガイド溝22ｄで規定された距離だけ、ロック片22は往復摺動しうるようになっている。なお、図８に図示されるように、ロック片22の両側壁22ｂの表面の基端寄り（図８で左端寄り）に２条の滑り止め用の窪み22ｅが形成されている。
【００２９】
また、下座11の長手方向延長線上に位置し、扉４の開口縁４ａに隣接したパネル３のブース側面には、図３および図１８ないし図２１に図示される係止受け23を貫通してパネル３に螺着される２本のボルト24によって、係止受け23が一体に装着され、この係止受け23のパネル側（図４、図２０では下側）両側に切り欠き23ａが形成されており、ロック片22がパネル３の方へ摺動した場合に、ロック片22の折曲部22ｃが係止受け23の切り欠き23ａに係合して、扉４が錠止されるようになっている。
【００３０】
扉４には、図４ないし図７に図示されるように、下座11のピン係合孔11ｃの中心延長線上に位置して挿入孔４ｂが設けられている。
【００３１】
図１ないし図２３に図示の実施形態は、前述したように構成されているので、トイレブース１を利用しようとする人は、図１に図示するように、トイレブース１外から扉４を押すと、扉４はトイレブース１内に向って開く。
【００３２】
トイレブース１内に入った利用者は、扉４の内側から外側に向けて扉４を押すと、扉４の開放端４ａに隣接したパネル３にロック片22の先端部が当り、トイレブース１外への扉４の旋回が阻止される。そこで、基端側（図４で左端側）に位置したロック片22を係止受け23に向けて動かすと、図９に図示されるように、ロック片22は、その折曲部22ｃがロック片取り付けベース部材13の欠落溝部13ｉに案内されながら係止受け23に向って移動し、図４に図示されるように、ロック片22の折曲部22ｃが係止受け23の切り欠き23ａに係合し、扉４は錠止される。
【００３３】
扉４が錠止された状態では、これに隣接したトイレブース１内の者が錠止状態のトイレブース１内を覗き込もうとしても、トイレブース１を仕切るパネル３が高いので、覗き見することができない。
【００３４】
錠止状態のトイレブース１内に居る人が、人事不省に陥り、または、急に動けなくなった場合には、図５に図示するように、トイレブース１外から、挿入孔３ｂに、非常解錠操作具５の細長棒状部５ａを挿入し、強く押し込むと、ロック係合解除ピン19の先端小径部19ｃがピン係合孔11ｃから外れ、非常解錠バネ14のバネ力でもってロック片取り付けベース部材13が係止受け23に向って移動するため、図６に図示されるように、下座11の２叉状分岐突出部11ｅから、ロック片取り付けベース部材13の係合切り欠き部13ｃが外れるとともに、下座11の半円弧状切り欠き11ｇからストッパー18の小径部18ｂが外れる結果、図７に図示されるように、ロック片22は係止受け23に係合されたまま、下座11とロック片取り付けベース部材13との結合が解除され、扉４は外方へ開放される。
【００３５】
このように、扉４が外開き可能となるため、トイレブース１内に居た人が扉４に向って倒れ込み、扉４を内側から外側へ押すような状態となって、扉４の内開きが困難となる場合であっても、直ちにトイレブース１内の人を救助することができる。
【００３６】
また、非常時に、非常解錠操作具５の細長棒状部５ａを扉４の挿入孔４ｂに挿入し、非常解錠操作具５を強く押し込むだけで、短時間内に容易に扉４を開放することができる。
【００３７】
しかも、非常解錠操作具５がなくても、針金のような細長いものがあれば、扉４を解錠できるので、緊急時に適切に対応できる。
【００３８】
図１ないし図２３の実施形態では、ロック片22は、下座11およびロック片取り付けベース部材13の長手方向に沿って往復摺動することによって、扉４の施錠・解錠が可能となっているが、扉４の面に対して直角方向の軸を中心として往復揺動できるレバー型の錠止装置にも、本発明は勿論適用可能である。
【図面の簡単な説明】
【００３９】
【図１】本発明の扉施錠装置を備えたトイレブースの外観斜視図である。
【図２】図１のトイレブースの内部から見た斜視図である。
【図３】扉施錠装置の要部部品である下座、ロック片取り付けベース部材、係止受けの分解斜視図である。
【図４】扉施錠装置の縦断平面図である。
【図５】解錠操作を行なっている状態の扉施錠装置の縦断平面図である。
【図６】解錠操作後、下座に対するロック片取り付けベース部材およびストッパーの分離状態を図示した扉施錠装置の縦断平面図である。
【図７】解錠されて扉が外開きとなった状態の扉施錠装置の縦断平面図である。
【図８】ロック片の裏面図である。
【図９】図４のIX-IX線に沿って裁断した横断面図である。
【図１０】図４のＸ-Ｘ線に沿って裁断した横断面図である。
【図１１】下座の側面図である。
【図１２】下座の平面図である。
【図１３】下座の端面図である。
【図１４】ロック片取り付けベース部材の側面図である。
【図１５】ロック片取り付けベース部材の平面図である。
【図１６】ロック片取り付けベース部材の裏面図である。
【図１７】ロック片取り付けベース部材の端面図である。
【図１８】係止受けの側面図である。
【図１９】係止受けの平面図である。
【図２０】ストッパーのXX−XX線に沿って裁断した横断面図である。
【図２１】ストッパーの裏面図である。
【図２２】ストッパーの平面図である。
【図２３】ストッパーの端面図である。
【符号の説明】
【００４０】
１…トイレブース、２…壁、３…パネル、４…扉、５…非常解錠操作具、
10…扉施錠装置、11…下座、12…ネジ、13…ロック片取り付けベース部材、14…非常解錠バネ、15…非常解錠ピストン、16…ピン、17…緩衝ゴム、18…ストッパー、19…ロック係合解除ピン、20…ピンバネ、21…ピン蓋、22…ロック片、23…係止受け、24…ボルト。
【図１】
2006090052.tif 000003
【図２】
2006090052.tif 000004
【図３】
2006090052.tif 000005
【図４】
2006090052.tif 000006
【図５】
2006090052.tif 000007
【図６】
2006090052.tif 000008
【図７】
2006090052.tif 000009
【図８】
2006090052.tif 000010
【図９】
2006090052.tif 000011
【図１０】
2006090052.tif 000012
【図１１】
2006090052.tif 000013
【図１２】
2006090052.tif 000014
【図１３】
2006090052.tif 000015
【図１４】
2006090052.tif 000016
【図１５】
2006090052.tif 000017
【図１６】
2006090052.tif 000018
【図１７】
2006090052.tif 000019
【図１８】
2006090052.tif 000020
【図１９】
2006090052.tif 000021
【図２０】
2006090052.tif 000022
【図２１】
2006090052.tif 000023
【図２２】
2006090052.tif 000024
【図２３】
2006090052.tif 000025